(57)【要約】      （修正有）【課題】監視子局の消費電力の低減を実現する。【解決手段】監視対象設備から状態変化を表す信号が信号保持回路に入力されると、信号を処理装置を介して監視親局へ伝送する監視装置に、監視対象設備からの現在の状態を表す第一の信号を保持し、起動タイマが所定の時刻をカウントすると処理装置を起動し第一の信号を処理装置に取り込ませる機能と、監視対象設備から状態変化を表す第二の信号が入力されると、処理装置を起動し第二の信号を処理装置が取り込ませる機能と、信号保持回路から受信した第一または第二の信号を監視親局へ伝送する伝送機能と、第二の信号を伝送したのちに一定時間のカウントを行うカウント機能と、カウント手段が一定時間をカウントすると、機器起動処理回路に電源部からの電力供給の遮断を指示する指示機能を実現させる。【選択図】図１
2012253464.tif 000002
【特許請求の範囲】
【請求項１】
監視対象設備から状態変化を表す信号が信号保持回路に入力されると、前記信号を処理装置を介して監視親局へ伝送する監視装置に、
前記監視対象設備からの現在の状態を表す第一の信号を保持し、前記起動タイマが所定の時刻をカウントすると前記処理装置を起動し前記第一の信号を前記処理装置に取り込ませる機能と、
前記監視対象設備から状態変化を表す第二の信号が入力されると、前記処理装置を起動し前記第二の信号を前記処理装置が取り込ませる機能と、
前記信号保持回路から受信した第一または第二の信号を前記監視親局へ伝送する伝送機能と、
前記第二の信号を伝送したのちに一定時間のカウントを行うカウント機能と、
前記カウント手段が前記一定時間をカウントすると、機器起動処理回路に前記電源部からの電力供給の遮断を指示する指示機能と
を実現させる監視方法。
【請求項２】
監視対象設備から状態変化を表す信号が信号保持回路に入力されると、前記信号を処理装置を介して監視親局へ伝送する監視装置であって、
電源部を備える処理装置と、
所定の時刻をカウントする起動タイマと、
前記信号保持回路は、
監視対象設備からの現在の状態を表す第一の信号を保持し、前記起動タイマが所定の時刻をカウントすると前記第一の信号を前記処理装置に送信し、
監視対象設備から状態変化を表す第二の信号を検出すると、前記第二の信号を前記処理装置に送信し、
前記処理装置は、
前記信号保持回路から受信した第一または第二の信号を前記監視親局へ伝送する伝送手段と、
前記第二の信号を伝送したのちに一定時間のカウントを行うカウント手段と、
前記カウント手段が前記一定時間をカウントすると、機器起動処理回路に前記電源部からの電力供給の遮断を指示する指示タイマ手段と、
を備え、
前記処理装置からの指示があると電力供給を遮断し、
起動タイマが前記所定の時刻をカウントしかつ前記電源部からの電力供給が遮断されている場合に、前記第一の電源部および第二の電源部からの電力供給を行わせる
機器起動処理部と、
を備える監視装置。
【請求項３】
監視対象設備から状態変化を表す信号を信号保持回路で検出し、前記信号を処理装置を介して監視親局へ伝送する監視装置であって、
電源部を備える処理装置と、
所定の時刻をカウントする起動タイマと、
前記信号保持回路は、
監視対象設備からの現在の状態を表す第一の信号を保持し、前記起動タイマが所定の時刻をカウントすると前記第一の信号を前記処理装置に送信し、
監視対象設備から状態変化を表す第二の信号を検出すると、前記第二の信号を前記処理装置に送信し、
前記処理装置は、
前記信号保持回路から受信した第一または第二の信号を前記監視親局へ伝送する伝送手段と、
前記第二の信号を伝送したのちに一定時間のカウントを行うカウント手段と、
前記カウント手段が前記一定時間をカウントすると、機器起動処理回路に前記電源部からの電力供給の遮断を指示する指示タイマ手段と、
を備え、
前記処理装置からの指示があると電力供給を遮断し、
起動タイマが前記所定の時刻をカウントしかつ前記電源部からの電力供給が遮断されている場合に、前記第一の電源部および第二の電源部からの電力供給を行わせる
機器起動処理部と、
を備える監視システム。
【発明の詳細な説明】
【技術分野】
【０００１】
本発明の実施形態は、各種施設の状態変化を検出する監視方法、監視装置、監視システムに関する。
【背景技術】
【０００２】
従来の監視装置では、状態変化の有無に関わらず常時、監視子局の処理装置等の電源が入ったままであった。
【先行技術文献】
【特許文献】
【０００３】
【特許文献１】特開２００７―２５１６９７
【発明の概要】
【発明が解決しようとする課題】
【０００４】
そのため、消費電力の低減が図られていない状態であった。
【０００５】
本発明の実施形態は、監視子局の消費電力の低減を実現する。
【課題を解決するための手段】
【０００６】
実施形態によれば、監視対象設備から状態変化を表す信号が信号保持回路に入力されると、前記信号を処理装置を介して監視親局へ伝送する監視装置に、前記監視対象設備からの現在の状態を表す第一の信号を保持し、前記起動タイマが所定の時刻をカウントすると前記処理装置を起動し前記第一の信号を前記処理装置に取り込ませる機能と、前記監視対象設備から状態変化を表す第二の信号が入力されると、前記処理装置を起動し前記第二の信号を前記処理装置が取り込ませる機能と、前記信号保持回路から受信した第一または第二の信号を前記監視親局へ伝送する伝送機能と、前記第二の信号を伝送したのちに一定時間のカウントを行うカウント機能と、前記カウント手段が前記一定時間をカウントすると、機器起動処理回路に前記電源部からの電力供給の遮断を指示する指示機能とを実現させる。
【図面の簡単な説明】
【０００７】
【図１】実施形態に係る監視装置の構成の一例を示すブロック図。
【図２】記憶部１６０に格納されているデータの一例を示す図。
【図３】信号保持回路２３１と監視対象設備３０の内部例を示す図。
【図４】実施形態に係る監視装置の動作の一例を示すフローチャート。
【発明を実施するための形態】
【０００８】
以下、図面を参照しながら本発明の各実施の形態について説明する。
【０００９】
（第１の実施形態）
本実施形態の監視システムは図１に示すように、監視対象設備３０（３０Ａ、３０Ｂ、…）と監視信号を授受する監視子局２０と複数の監視子局２０からの信号を授受する監視親局１０、および監視子局２０と監視親局１０を接続する通信回線１から構成される。
【００１０】
通信回線１は、一方向または双方向通信可能なネットワーク網である。本実施形態ではネットワーク１はＬＡＮ、イントラネット等の有線通信網のごとく記載しているが、各種無線通信網に代替することができる。また有線の接続方法もこれに限られることはない。
【００１１】
監視親局１０は、ＣＰＵ１００と、ＲＡＭ（ＲＷＭ）１１０と、通信ＩＦ１２０と、入力ＩＦ１３０と、出力ＩＦ１４０と、ＲＯＭ１５０と、記憶部１６０とを含む構成である。その他、ＵＳＢメモリ等の外部記憶装置を装着するＩＦ（インターフェース）など他のＩＦを備えていてもよい。
【００１２】
ＣＰＵ１００は、ＲＯＭ１５０に予め書き込んだ各プログラムをＲＡＭ１１０に読み出し、演算処理を行う演算処理部（例えば、マイクロプロセッサ）である。
【００１３】
ＲＡＭ（ＲＷＭ）１１０は、ＣＰＵ１００がプログラムを実行する際にデータを一次記憶する記憶エリアなどのワーキングエリアとして用いられる。
【００１４】
通信ＩＦ１２０は、通信部１２１を接続するインターフェースである。本ＩＦは必須の構成要素ではなくＩＦを介さず直接サーバ内の配線と接続されていてもよい。
【００１５】
通信部１２１は、一又は複数の監視子局と通信回線1を介して通信を行う通信装置、通信手段である。例えば、有線接続の場合はルーター、無線接続の場合はアンテナなどの通信装置である。その他、赤外線通信、可視光通信などを行う通信装置であってもよい。本実施形態では一つの通信ＩＦ、通信部として記載しているが、各子局毎に通信ＩＦを複数設けた形態であってもよい。
【００１６】
入力ＩＦ１３０は、入力部１３１と監視親局１０とを接続するインターフェースである。入力部１３１からの信号を受けて、ＣＰＵ１００が認識可能な信号への変換など入力制御をおこなってもよい。本ＩＦは必須の構成要素ではなくＩＦを介さず直接サーバ内の配線と接続されていてもよい。
【００１７】
入力部１３１は、コンピュータ装置が一般に備えている各種キーボードやボタン等の入力制御を行う入力装置、入力手段である。その他、人の発する声を認識することにより、入力信号として認識する機能を備えていてもよい。
【００１８】
出力ＩＦ１４０Ａは、表示部１４１と監視親局１０とを接続するインターフェースである。ＣＰＵ１００から出力ＩＦ１４０Ａを介して表示部１４１の表示制御がおこなわれてもよいし、本ＩＦ内にグラフィックボードなど描画処理を行うＬＳＩ（ＧＰＵ）により表示制御機能を備えさせてもよい。ＩＦを使用せず監視親局１０内部に直接接続される形態であってもよい。
【００１９】
また、出力ＩＦ１４０Ｂは、警報部１４２と監視親局１０とを接続するインターフェースである。ＩＦを使用せず監視親局１０内部に直接接続される形態であってもよい。
【００２０】
表示部１４１は、液晶ディスプレイ、有機ＥＬディスプレイ、プラズマディスプレイなどのモニターである。その他、音を発生させる音声出力機能を備えていてもよい。監視対象設備３０の現在の稼動状況と過去の状態記録と監視装置の稼動状態などを表示する。
【００２１】
警報部１４２は、監視親局１０のオペレータなどに対して、音声、音、光を用いて監視対象設備３０に故障が生じたことを知らせるために警報を鳴動する警報装置である。
【００２２】
ＲＯＭ１５０は、プログラムを記憶するプログラムメモリである。一般的には、データの書き込みはできない非一次記憶媒体が好適であるが、データの読み出し、書き込みが随時できる半導体メモリ等の記憶媒体であってもよい。その他、表示部１４１へ人が認識可能な文字や図柄を表示させる表示プログラム、警報部１４２の警報出力プログラムや各ＤＢ、ＲＯＭに情報を登録する情報登録プログラムや通信部１２１の通信を制御する通信制御プログラム等が格納されていてもよい。
【００２３】
記憶部１６０は、ハードディスクドライブ（ＨＤＤ）などの不揮発性の記憶装置、記憶手段である。この他、不揮発性の記憶手段に限られることなく各種半導体メモリを利用してもよいし、半導体メモリとＨＤＤとを組み合わせた方式を採用した記憶媒体であってもよい。本実施形態では、ＲＯＭ１５０と記憶部１６０とは別の記憶媒体のごとく記載しているが、各種ＤＢおよびプログラムを格納する同一の記憶部、記憶手段を用いてもよい。ＣＰＵ１００がＲＯＭ１５０からプログラムを読み出して演算処理する際に必要なデータが記憶されている。
【００２４】
記憶部１６０は、例えば、図２に示すように監視対象設備の状態を経時的に記録する。
【００２５】
図２のデータにより１５：００に検出した０か１かの値と、１６：００に検出した０か１かの値を比較（前回状態と比較）し、ＣＰＵ１００において状態変化が検出される。
【００２６】
監視子局２０（２０Ａ、２０Ｂ、…）は、処理装置２１と、通信部２２１と、信号保持回路２３１と、機器起動処理回路２３２と、表示部２４１と、タイマ２７０と、起動タイマ２７１を含む構成の監視装置である。本実施形態では1台のみを記載しているが監視親局１０が通信回線１を介して複数台の監視子局を管理してもよい。
【００２７】
処理装置２１は、ＣＰＵ２００と、ＲＡＭ２１０と、通信ＩＦ２２０と、入力ＩＦ２３０と、出力ＩＦ２４０とＲＯＭ２５０と、記憶部２６０とを含む構成である。監視親局１０及び監視対象設備３０とは信号を授受し各種演算処理を行う。本実施形態において、監視システムの構成要素の一つである処理装置２０は、処理機能に応じて装置をＬＡＮ、イントラネット等を介して組み合わせたコンピュータ群で構成することができる。
【００２８】
ＣＰＵ２００は、ＲＯＭ２５０に予め書き込んだ各プログラムをＲＡＭ２１０に読み出し、演算処理を行う演算処理部（例えば、マイクロプロセッサ）である。
【００２９】
ＲＡＭ（ＲＷＭ）２１０は、ＣＰＵ２００がプログラムを実行する際にデータを一次記憶する記憶エリアなどのワーキングエリアとして用いられる。
【００３０】
通信ＩＦ２２０は、通信部２２１と処理装置２１とを接続するインターフェースである。本ＩＦは必須の構成要素ではなくＩＦを介さず直接サーバ内の配線と接続されていてもよい。
【００３１】
通信部２２１は、監視子局と通信を行う通信装置、通信手段である。例えば、有線接続の場合はルーター、無線接続の場合はアンテナなどの通信装置である。その他、赤外線通信、可視光通信などを行う通信装置であってもよい。
【００３２】
通信部２２１は、機器起動処理回路２３２からの信号により電源を供給または遮断する電源部２２２を有する。本実施形態では一つの通信ＩＦ、通信部として記載しているが、各子局毎に通信ＩＦを複数設けた形態であってもよい。
【００３３】
電源部２２２の電源の供給／遮断の制御は、ＣＰＵ２００から通信ＩＦ２２０を介して行われてもよいし、電源部２７０と連動して電力の供給が遮断される形態であってもよい。また、電源部２７０と独立して電力の供給／遮断がスイッチなどにより行われる形態であってもよい。
【００３４】
入力ＩＦ２３０は、信号保持回路２３１と処理装置２１内とを接続するインターフェースである。信号保持回路２３１から入力された接点状態（ＯＮ／ＯＦＦ）をデジタル信号に変換する。また、ＣＰＵ１００が認識可能な信号への変換などの入力制御がおこなわれてもよい。本ＩＦは必須の構成要素ではなくＩＦを介さず直接サーバ内の配線と接続されていてもよい。
【００３５】
信号保持回路２３１は、監視対象設備３０と直接接点信号を取り合いその状態をハード的に保持する回路である。監視対象設備３０は、状態の変化（運転/停止、故障発生/復帰など）が発生した場合、接点を開閉することで、監視装置にその状態変化を知らせる。例えば、通常時（停止、故障なし等）の場合接点を開状態、状態変化時（運転、故障発生等）に接点を閉状態とする。監視子局２０の処理装置２１が常時電源ＯＮである通常の監視装置の場合、上記接点の開閉をリアルタイムに検出可能であるが、本装置の場合、通常時は処理装置２１の電源がＯＦＦのため、監視対象設備３０で状態変化が発生してから処理装置２１を起動することとなる。処理装置２１が起動完了する前に、監視対象設備３０の接点が戻ってしまうと検出できない。そのため、ハード的に接点の変化状態を保持する仕組みを実装する。図３に示すように、監視対象設備３０で状態信号１が変化（接点オン）した場合、信号保持回路２３１のリレーコイルＸ１が励磁される。そして、接点Ｘ１が閉じることによりリレーコイルＸ１１が励磁され、同時にリレーコイルＸ１１は自己保持回路により励磁状態が維持される。そして接点Ｘ１および接点Ｘ１１のＯＲにより入力ＩＦ２３０に信号が入力される。これにより接点Ｘ１が閉してすぐに開となった場合でもＸ１１により保持されるため、処理装置２１が起動後に状態変化を検出可能となる。処理装置２１は状態変化検出後、リセット信号を出力してリレーコイルＲＳＥＴを励磁し、各自己保持回路を開放する。入力ＩＦ２３０に対する接点入力状態が開の場合を「０」、閉の場合を「１」として処理装置２１にて認識する。その逆で定義してもよい。信号状態が「０」から「１」または「１」から「０」となった場合、処理装置２１で状態変化有りとして検出する。
【００３６】
機器起動処理回路２３２は、信号保持回路２３１に対する入力状態変化時、または、起動タイマ２７１が予め定められた時間をカウントすると主要機器（処理装置及２１び通信部２２１）の電源を投入する。
【００３７】
出力ＩＦ２４０は、表示部２４１と処理装置２１とを接続するインターフェースである。ＣＰＵ２００から出力ＩＦ２４０を介して表示部２４１の表示制御がおこなわれてもよいし、本ＩＦ内にグラフィックボードなど描画処理を行うＬＳＩ（ＧＰＵ）により表示制御機能を備えさせてもよい。ＩＦを使用せず監視親局１０内部に直接接続される形態であってもよい。
【００３８】
表示部２４１は、処理装置内のタイマ稼動状況をタイマ状態表示回路である。その他、音を発生させる出力機能を備えていてもよい。本実施形態では表示部２４１は、監視子局２０Ａに含まれるとして記載しているが、監視子局２０Ａの外部に接続されていてもよい。
【００３９】
ＲＯＭ２５０は、プログラムを記憶するプログラムメモリである。一般的には、データの書き込みはできない非一次記憶媒体が好適であるが、データの読み出し、書き込みが随時できる半導体メモリ等の記憶媒体であってもよい。その他、表示部２４１へ人が認識可能な文字や図柄を表示させる表示プログラムや各ＤＢ、ＲＯＭに情報を登録する情報登録プログラムや通信部２２１の通信を制御する通信制御プログラム等が格納されていてもよい。
【００４０】
ＲＯＭ２５０は、伝送処理プログラム２５１と、タイマプログラム２５２を含む構成である。
【００４１】
伝送処理プログラム２５１は、信号保持回路２３１が保持する信号を、監視親局１０へ伝送するための信号に加工する機能をＣＰＵ２００に実現させる伝送処理手段である。
【００４２】
タイマプログラム２５２は、（最後に）状態変化入力があってからの経過時間をカウントし、予め定められる一定の時間（一定時間）をカウントすると、電源部２７０およびまたは電源部２２２の電源を遮断する機能をＣＰＵ２００に実現させる手段である。一定時間とは、記憶部２６０に格納されていてもよいし、予めプログラムに含まれていてもよい。
【００４３】
記憶部２６０は、ハードディスクドライブ（ＨＤＤ）などの不揮発性の記憶装置、記憶手段である。ＣＰＵ２００の処理に必要なデータを格納する。
【００４４】
タイマＤＢ２６１は、状態変化を監視親局１０へ送信してから電源部２７０、電源部２２２をＯＦＦにするまでの一定時間を格納する。一定時間とは例えば、３０秒、１０分、１時間といった値が考えられるが、これに限られることなく監視親局１０の入力部１３１の入力により変更できる態様であることが好適である。
【００４５】
電源部２７０は、機器起動処理回路２３２からの信号を受け処理装置に電力を供給および遮断する。
【００４６】
起動タイマ２７１は、主要機器を自動起動させるための所定の時間をカウントする。例えば、所定の時間とは１日１回定時（ＡＭ０：００）に起動するように時間をカウントする。
【００４７】
タイマ部２８０は、時間をカウントする手段である。いわゆる内蔵時計である。タイマ部がカウントする時間によりＣＰＵ２００は、時間をカウントする。なお、タイマ部を必ずしも処理装置２１内部に設置する必要はなく通信回線１を介して時間情報を取得する形態であってもよい。
【００４８】
監視対象設備３０（３０Ａ、Ｂ…）は、ビル、プラント、工場などの施設に設置されている空調機、変電設備、照明、セキュリティ装置、変圧器などのような、各種の設備に備えられる装置である。
【００４９】
本実施形態の作用について図４を用いて説明する。
【００５０】
本実施形態では、起動タイマ２７１は、予め定められた時刻を検出するため時間経過をカウントしている。また、信号保持回路２３１は、監視対象設備側からの状態変化入力を保持している（Ｓ１０１）。
【００５１】
起動タイマ２７１が予め定めた時刻をカウントしていない場合であって、信号保持回路２３１が、監視対象設備３０の状態変化を検出していない場合は、カウントダウンタイマ２８０によるカウントも行われていないので、Ｓ１０１、１０２−ＮＯ、Ｓ１０８−ＮＯ、Ｓ１０９−ＮＯ）を繰り返すこととなる。
【００５２】
繰り返している途中のステップＳ１０２において、監視対象設備３０で状態変化が信号保持回路２３１に入力されると（Ｓ１０２−ＹＥＳ）、機器起動処理回路２３２は電源部２７０、電源部２２２に電源を投入状態とし、処理装置２１および通信部２２１を起動させる（Ｓ１０３、Ｓ１０４）。起動後、信号保持回路２３１から接点状態を表す信号を処理装置２１の入力ＩＦ２３０によりデジタル変換し、伝送処理プログラム２５１を実行して情報を加工し、通信装置２２１を介して監視装置１０へ送信する（Ｓ１０５）。これを受けた監視装置１０は、ＲＯＭ１５０に格納されているプログラム実行し、表示部１４１への表示、警報部１４２での警報の鳴動、記憶部１６０に当該情報の記録等の処理を行う（Ｓ１０６）。処理装置２１から通信部２２１へ信号送信後、処理装置内でタイマプログラム２５２を実行し、電源２７０と電源２２２をＯＦＦにするまでの時間のカウントを開始する（Ｓ１０７）。
【００５３】
タイマプログラム２７２を実行中に、さらに監視対象設備３０の状態変化が信号保持回路２３１に入力された場合は、タイマプログラム２５２によりカウントがリセットされ、再度カウントダウンが開始される（Ｓ１０８−ＹＥＳ、Ｓ１０２−ＹＥＳ）。
【００５４】
タイマプログラム２７２を実行中に、監視対象設備３０の状態変化がなかった場合は、ＣＰＵ２００は処理装置２１の電源２７０と通信部２２１の電源部２２２をＯＦＦとする（Ｓ１１０）
起動タイマ２７１が予め定めた時刻をカウントした場合は（Ｓ１０１−ＹＥＳ）、処理装置２１の電源部２７０と、通信部２２１の電源部２２２の電源をＯＮとし（Ｓ１１１、Ｓ１１２）、信号保持回路２３１は保持データを処理装置２１を介して監視親局１０へ送信するＳ１１３）。
【００５５】
なお、本実施形態では電源部２７０および電源部２２２双方への電源を遮断するかのごとく記載しているが、どちらか一方の電源をＯＮ／ＯＦＦとする監視方法、監視装置、監視システムであってもよい。
【００５６】
本実施形態によれば、監視子局を構成する主要機器の電源を所定の場合に限って電源を投入することにより、監視子局の消費電力を低減し運用コストを削減することができる。また、例えば、スケジュール時刻を１日に一回設定し、一定時間毎に信号情報を収集することにより、長期間にわたって故障検出がなくいざ故障が発生した場合にデータが取得できないなどの事故を防止し、データの信頼性向上及び監視子局の健全性確認を行うことができる。
【００５７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１  …  通信回線
１０  …  監視親局
２０（２０Ａ、２０Ｂ…）  …  監視子局
３０（３０Ａ、３０Ｂ…）  …  監視対象設備
１００、２００  …  ＣＰＵ（Central Processing Unit）（演算処理部）
１１０、２１０  …  ＲＡＭ（ＲＷＭ）（Random Access Memory）（Read Write Memory）
１２０、２２０  …  通信ＩＦ(inter face)
１３０、２３０  …  入力ＩＦ
１３１  …  入力部
１４０（１４０Ａ、１４０Ｂ…）、２４０  …  出力ＩＦ
１４１、２４１  …  表示部
１４２  …  警報部
１５０、２５０  …  ＲＯＭ(Read Only Memory)
１６０、２６０  …  記憶部
２２２  …  電源部
２３１  …  信号保持回路
２３２  …  機器起動処理回路
２６１  …  タイマＤＢ
２７０  …  電源部
２７１  …  起動タイマ
【図１】
2012253464.tif 000003
【図２】
2012253464.tif 000004
【図３】
2012253464.tif 000005
【図４】
2012253464.tif 000006